(57)【要約】【課題】コンテンツを他の装置と送受信する場合に、動作を利用者が視覚的に認識することができ、かつ、利用者にとって操作性の高いコンテンツ連携システムを提供する。【解決手段】コンテンツに基づいて生成された画像を表示画面に表示し、選択された選択画像に対する移動操作を検出し、表示画面における予め定められた送信側特定領域に選択画像が移動されたか否かを判定する。送信側特定領域に選択画像が移動された場合には、画像の表示態様を変化させて、送信側特定領域に対応づけられている記憶領域に、選択画像に対応するコンテンツを送信する。また、コンテンツ受信装置は、記憶領域からコンテンツを取得し、表示する。【選択図】図８
2019008366.tif 000002
【特許請求の範囲】
【請求項１】
コンテンツ送信装置と、コンテンツ受信装置とが接続されたコンテンツ連携システムにおいて、
前記コンテンツ送信装置は、
コンテンツに基づいて生成された画像を表示画面に表示する送信側表示手段と、
前記画像の中から選択画像を選択する画像選択手段と、
前記選択画像に対する移動操作を検出する操作検出手段と、
前記表示画面における予め定められた送信側特定領域に前記選択画像が移動されたか否かを判定する移動判定手段と、
前記送信側特定領域に前記選択画像が移動された場合には、前記選択画像の表示態様を変化させる画像変化手段と、
前記表示態様が変化した前記選択画像に対応するコンテンツを、前記送信側特定領域に対応づけられている記憶領域に送信するコンテンツ送信手段と、
を備え、
前記コンテンツ受信装置は、
前記記憶領域から前記コンテンツを取得するコンテンツ取得手段と、
取得された前記コンテンツに基づいて生成された画像を前記コンテンツ受信装置の表示画面に表示する受信側表示手段と、
を備えることを特徴とするコンテンツ連携システム。
【請求項２】
前記コンテンツ送信装置と、前記コンテンツ受信装置とは、サーバに接続されており、
前記記憶領域は、前記サーバに設定されている共有フォルダであることを特徴とする請求項１に記載のコンテンツ連携システム。
【請求項３】
前記記憶領域は、前記コンテンツ送信装置又は前記コンテンツ受信装置に設定されている共有フォルダであることを特徴とする請求項１に記載のコンテンツ連携システム。
【請求項４】
前記コンテンツ受信装置は、
前記コンテンツ受信装置の表示画面には、受信側特定領域が設けられており、
前記受信側表示手段は、前記画像を前記受信側特定領域に含まれるように縮小表示を行い、その後当該画像を段階的に大きく表示することを特徴とする請求項１から３の何れか一項に記載のコンテンツ連携システム。
【請求項５】
前記コンテンツ取得手段は、前記記憶領域から複数のコンテンツを取得し、
前記受信側表示手段は、
前記複数のコンテンツに基づいて生成した画像を画像群として前記受信側特定領域に含まれるように表示し、
前記画像を段階的に大きく表示する場合に、前記画像群に含まれる画像について、順次表示態様を変化させることを特徴とする請求項４に記載のコンテンツ連携システム。
【請求項６】
前記コンテンツ受信装置において、
前記コンテンツ取得手段は、前記記憶領域に記憶されているコンテンツのうち、前記コンテンツ受信装置の表示画面に表示したコンテンツ以外のコンテンツを取得することを特徴とする請求項１から５の何れか一項に記載のコンテンツ連携システム。
【請求項７】
前記コンテンツ連携システムには、複数のコンテンツ送信装置が接続されており、
前記コンテンツ送信装置には、それぞれコンテンツを送信する前記記憶領域が割り当てられており、
前記記憶領域に対応づけて、前記コンテンツ受信装置の表示画面には、受信側特定領域が設けられており、
前記受信側表示手段は、前記取得されたコンテンツの記憶領域に応じた前記受信側特定領域に、前記画像を表示することを特徴とする請求項６に記載のコンテンツ連携システム。
【請求項８】
前記コンテンツ受信装置は、前記コンテンツ送信装置が前記コンテンツ連携システムに接続されると前記表示画面に前記受信側特定領域を設けることを特徴とする請求項７に記載のコンテンツ連携システム。
【請求項９】
請求項１から８の何れか一項のコンテンツ連携システムに接続されることを特徴とするコンテンツ受信装置。
【請求項１０】
コンテンツ送信装置と、コンテンツ受信装置とが接続されたコンテンツ連携システムにおけるコンテンツ連携方法であって、
前記コンテンツ送信装置は、
コンテンツに基づいて生成された画像を表示画面に表示する送信側表示ステップと、
前記画像の中から選択画像を選択する画像選択ステップと、
前記選択画像に対する移動操作を検出する操作検出ステップと、
前記表示画面における予め定められた送信側特定領域に前記選択画像が移動されたか否かを判定する移動判定ステップと、
前記送信側特定領域に前記選択画像が移動された場合には、前記選択画像の表示態様を変化させる画像変化ステップと、
前記表示態様が変化した前記選択画像に対応するコンテンツを、前記送信側特定領域に対応づけられている記憶領域に送信するコンテンツ送信ステップと、
を含み、
前記コンテンツ受信装置は、
前記記憶領域から前記コンテンツを取得するコンテンツ取得ステップと、
取得された前記コンテンツに基づいて生成された画像を前記コンテンツ受信装置の表示画面に表示する受信側表示ステップと、
を含むことを特徴とするコンテンツ連携方法。
【発明の詳細な説明】
【技術分野】
【０００１】
本発明は、コンテンツ連携システム等に関する。
【背景技術】
【０００２】
従来から、複数の装置間で各種データを連携する技術が知られている。例えば、表示部が、データを示すアイコンをユーザによるタッチ操作に応じて移動可能に表示するとともに、データの送信対象となる各装置を示す複数の装置特定情報をアイコンの周囲に表示し、タッチセンサ部が、表示部に表示されたアイコンをユーザがタッチ操作により移動させた場合に、ユーザがアイコンを移動させた方向を検出し、装置特定情報検出部が、タッチセンサ部により検出された方向に表示されている装置特定情報を検出し、データ送受信制御部が、装置特定情報検出部により検出された装置特定情報に対するデータの送信を制御する発明が開示されている（例えば、特許文献１参照）。
【０００３】
また、ホーム画面において画像管理アプリケーションが実行されると、画像管理画面がディスプレイに表示される。画像管理画面には、画像データに対応するサムネイルアイコンが表示される。ユーザが任意のサムネイルアイコンを選択すると、シェア送信が有効にされたアドレスデータに基づいてシェア送信アイコン（ＳＨ）が表示される。この状態で、ユーザが、選択したサムネイルアイコンからシェア送信アイコンに向けてフリック操作を行うと、シェア送信アイコンと対応するアドレスデータに基づいて、サムネイルアイコンに対応する画像データが送信される発明が開示されている（例えば、特許文献２参照）。
【先行技術文献】
【特許文献】
【０００４】
【特許文献１】特開２０１３−３７４２号公報
【特許文献２】特開２０１４−１３５５７８号公報
【発明の概要】
【発明が解決しようとする課題】
【０００５】
しかし、上述した特許文献１では、近距離にある周辺機器を検出し、周辺機器に対してデータを送信する発明であり、周辺機器を検出する必要があり、容易にコンテンツを送信するという発明ではなかった。
【０００６】
また、上述した特許文献２では、送信する仕組みとしてメール等を想定しており、例えば表示されているコンテンツを他の装置に送信する場合に、利用者にとって使い勝手が良いものとは言えなかった。
【０００７】
また、従来のデータを連携する仕組みでは、送信側においてコンテンツが送信されたか否かといった点が、利用者に解りにくいという課題があった。
【０００８】
上述した課題を解決するために、本発明は、コンテンツを他の装置と送受信する場合に、動作を利用者が視覚的に認識することができ、かつ、利用者にとって操作性の高いコンテンツ連携システム等を提供することである。
【課題を解決するための手段】
【０００９】
本発明のコンテンツ連携システムは、
コンテンツ送信装置と、コンテンツ受信装置とが接続されたコンテンツ連携システムにおいて、
前記コンテンツ送信装置は、
コンテンツに基づいて生成された画像を表示画面に表示する送信側表示手段と、
前記画像の中から選択画像を選択する画像選択手段と、
前記選択画像に対する移動操作を検出する操作検出手段と、
前記表示画面における予め定められた送信側特定領域に前記選択画像が移動されたか否かを判定する移動判定手段と、
前記送信側特定領域に前記選択画像が移動された場合には、前記選択画像の表示態様を変化させる画像変化手段と、
前記表示態様が変化した前記選択画像に対応するコンテンツを、前記送信側特定領域に対応づけられている記憶領域に送信するコンテンツ送信手段と、
を備え、
前記コンテンツ受信装置は、
前記記憶領域から前記コンテンツを取得するコンテンツ取得手段と、
取得された前記コンテンツに基づいて生成された画像を前記コンテンツ受信装置の表示画面に表示する受信側表示手段と、
を備えることを特徴とする。
【００１０】
本発明のコンテンツ連携方法は、
コンテンツ送信装置と、コンテンツ受信装置とが接続されたコンテンツ連携システムにおけるコンテンツ連携方法であって、
前記コンテンツ送信装置は、
コンテンツに基づいて生成された画像を表示画面に表示する送信側表示ステップと、
前記画像の中から選択画像を選択する画像選択ステップと、
前記選択画像に対する移動操作を検出する操作検出ステップと、
前記表示画面における予め定められた送信側特定領域に前記選択画像が移動されたか否かを判定する移動判定ステップと、
前記送信側特定領域に前記選択画像が移動された場合には、前記選択画像の表示態様を変化させる画像変化ステップと、
前記表示態様が変化した前記選択画像に対応するコンテンツを、前記送信側特定領域に対応づけられている記憶領域に送信するコンテンツ送信ステップと、
を含み、
前記コンテンツ受信装置は、
前記記憶領域から前記コンテンツを取得するコンテンツ取得ステップと、
取得された前記コンテンツに基づいて生成された画像を前記コンテンツ受信装置の表示画面に表示する受信側表示ステップと、
を含むことを特徴とする。
【発明の効果】
【００１１】
本発明のコンテンツ連携システム等によれば、コンテンツを他の装置と送受信する場合に、動作を利用者が視覚的に認識することができ、かつ、利用者にとって操作性の高いコンテンツ連携システムを提供することが可能となる。
【図面の簡単な説明】
【００１２】
【図１】第１実施形態におけるシステム全体の外観を説明するための図である。
【図２】第１実施形態における表示装置の機能構成を説明するための図である。
【図３】第１実施形態における端末装置の機能構成を説明するための図である。
【図４】第１実施形態における共有サーバの機能構成を説明するための図である。
【図５】第１実施形態における端末装置のメインの動作を説明するための処理フローである。
【図６】第１実施形態における端末装置の送信処理を説明するための処理フローである。
【図７】第１実施形態における表示装置の受信処理を説明するための処理フローである。
【図８】第１実施形態における動作例を説明するための図である。
【図９】第１実施形態における動作例を説明するための図である。
【図１０】第１実施形態における動作例を説明するための図である。
【図１１】第２実施形態における表示装置の受信処理を説明するための処理フローである。
【図１２】第３実施形態における表示装置の受信処理を説明するための処理フローである。
【図１３】第３実施形態における動作例を説明するための図である。
【図１４】第３実施形態における動作例を説明するための図である。
【図１５】第４実施形態における動作例を説明するための図である。
【図１６】第５実施形態における動作例を説明するための図である。
【図１７】第６実施形態におけるシステム全体の外観を説明するための図である。
【図１８】第６実施形態における共有フォルダ情報について説明するための図である。
【図１９】第６実施形態における動作例を説明するための図である。
【図２０】第６実施形態における動作例を説明するための図である。
【図２１】第７実施形態におけるシステム全体の処理の流れを説明するシーケンス図である。
【発明を実施するための形態】
【００１３】
以下、図面を参照して本発明を実施するための一実施形態について説明する。なお、説明の都合上、実施形態としては、本発明の表示装置をタッチパネルと一体となった表示装置に適用した場合を例に説明するが、利用者の操作入力により、オブジェクトが描画・配置可能な表示装置であれば、何れの装置であっても適用可能なことは勿論である。
【００１４】
［１．第１実施形態］
［１．１  全体構成］
まず、本発明の表示装置が含まれるコンテンツ連携システム１を図１に示す。図１（ａ）は、外観の概要を示す図であり、コンテンツ連携システム１は、少なくとも表示装置１０と、端末装置２０とを有している。
【００１５】
ここで、本実施形態における表示装置１０は、大型の表示装置を想定している。表示装置１０としては、例えば、電子黒板（ＩＷＢ：インタラクティブホワイトボード）や、大型のテレビ、テーブル形のディスプレイ等であってもよい。また、本実施形態では、例えば液晶ディスプレイ（ＬＣＤ）を利用した表示装置を想定しているが、例えばプロジェクタ等の照射型の装置であってもよい。
【００１６】
また、本実施形態における端末装置２０は、小型の表示装置を想定している。例えば、会議参加者や、生徒等が使用するタブレット型の情報端末装置、スマートフォン、コンピュータ等が想定される。
【００１７】
なお、表示装置１０と、端末装置２０と本実施形態は説明するが、すなわち、親装置（本実施形態における表示装置１０）に、子装置（本実施形態における端末装置２０）が接続される関係であればよい。親装置と子装置との関係は利用者により設定されるものであり、利用する場面により適宜設定されることとなる。
【００１８】
コンテンツ連携システム１の構成を説明するのが図１（ｂ）である。表示装置１０は、ネットワークＮＷに接続されている。また、端末装置２０もネットワークＮＷに接続されており、ネットワークＮＷを介して表示装置１０と通信可能である。本実施形態では、ネットワークに接続されたアクセスポイント（ＡＰ）４０を介して端末装置２０がネットワークＮＷに接続される。
【００１９】
また、本実施形態においては、共有サーバ３０がネットワークＮＷに接続されており、表示装置１０及び端末装置２０と通信可能となっている。本実施形態では、コンテンツの共有を共有サーバ３０に設定された共有フォルダを介して行っているが、表示装置１０または端末装置２０の中に共有フォルダを設定してもよいし、外部のクラウドサービスを利用することで、クラウドサーバに設定してもよい。
【００２０】
また、本実施形態における表示装置１０及び端末装置２０は、タッチ入力が可能なタッチパネルで構成されていることとして説明する。
【００２１】
ここで、タッチパネルにより、タッチや、フリック、スライドといった利用者からの操作入力を受け付けることができる。この、タッチ等の検出方式としては、静電容量方式のようなタッチパネルであってもよいし、感圧式のタッチパネルであってもよい。すなわち、タッチ等、利用者の操作入力を適宜受け付けることが可能な装置であればよい。
【００２２】
また、タッチする方法としては、利用者による指であってもよいし、ペンであってもよい。ペンの場合は、例えばペンを識別出来る一意の識別情報（例えば、シリアル番号や、ＭＡＣアドレス等）を利用して、ペンの利用者を識別してもよい。
【００２３】
また、本実施形態においては、端末装置２０と、表示装置１０との間でコンテンツのやり取り、連携を容易にするシステムを説明している。ここで、コンテンツとは、表示装置１０、端末装置２０で利用可能な種々のデータのこといい、静止画ファイル（ＪＰＥＧ、ＧＩＦ、ＰＮＧ等の静止画像データ）、ドキュメントファイル（例えば、テキストファイルや、ワープロ・表計算・プレゼンテーションソフトといったドキュメントファイル、ＰＤＦファイル等）、動画ファイル（例えば、ａｖｉ形式や、ＭＰＧ形式等の動画像データ）、音声ファイル（例えば、ｍｐ３形式や、ｗａｖ形式等の音声データ）等のデータを含むものである。
【００２４】
［１．２  機能構成］
つづいて、本実施形態における各装置の機能構成について説明する。
【００２５】
［１．２．１  表示装置］
表示装置１０の機能構成について図２を用いて説明する。図２に示すように、表示装置１０は、制御部１００と、表示部１１０と、操作検出部１２０と、画像処理部１３０と、通信部１４０と、記憶部１５０とを備えて構成されている。
【００２６】
制御部１００は、表示装置１０の全体を制御するための機能部である。制御部１００は、記憶部１５０に記憶されている各種プログラムを読み出して実行することにより各種機能を実現しており、例えばＣＰＵ（Central Processing Unit）等により構成されている。
【００２７】
また、制御部１００としては、例えば、タッチパネルとして構成されている場合は表示画面（操作検出部１２０）を介して描画・入力された画像等のオブジェクトの表示や、他の画像入力装置から入力された画像の表示を制御したりする。
【００２８】
表示部１１０は、利用者に対して各種情報を表示したり、オブジェクトが描画・配置されたシートを表示したりするための機能部である。例えば、液晶ディスプレイ（ＬＣＤ：liquid crystal display）や、有機ＥＬディスプレイ等により構成されている。また、プロジェクタのような照射型／投影型の表示制御装置であってもよい。
【００２９】
操作検出部１２０は、利用者からの操作を検出するための機能部である。例えば、表示部１１０と一体に構成されるタッチパネル等により構成されている。操作の検出方式としては、静電容量方式であったり、抵抗膜方式等の感圧式や、赤外線方式、電磁誘導方式であったりと何れの方法であってもよい。
【００３０】
また、表示部１１０が照射型等の表示制御装置である場合は、操作検出部としては人感センサ等を利用して操作を検出してもよい。
【００３１】
画像処理部１３０は各種画像を処理するための機能部である。すなわち、コンテンツを表示部１１０に表示する場合に、各種処理を実行する。例えば、コンテンツとして静止画像を拡大、縮小表示したり、動画像を再生したりする。
【００３２】
また、コンテンツからサムネイル画像となるシートを生成したり、コンテンツに対して色調整処理、シャープネス処理等といった各種画像処理を施したりする。
【００３３】
通信部１４０は、ネットワークＮＷに接続するためのネットワークインタフェースである。通信方法としては、有線／無線を問わず、また、ＬＡＮ／ＷＡＮを問わない。すなわち、本実施形態においては、端末装置２０、共有サーバ３０と通信をすることができればよい。有線ＬＡＮであれば、１０ＢＡＳＥ−Ｔ、１００ＢＡＳＥ−ＴＸ、１０００ＢＡＳＥ−Ｔといったイーサネット（登録商標）の規格や、無線ＬＡＮであれば、ＩＥＥＥ８０２．１１ａ／ｂ／ｇ／ｎといった規格、ＷＡＮであればＬＴＥ、ＷｉＭＡＸ、３Ｇ等が利用される。
【００３４】
なお、共有サーバ３０を利用しないで直接端末装置２０と通信する場合であれば、Ｂｌｕｅｔｏｏｔｈ（登録商標）やＺｉｇＢｅｅといった近距離無線通信を利用してもよい。
【００３５】
記憶部１５０は、表示装置１０の動作に必要な各種プログラムや、各種データが記憶されている機能部である。記憶部１５０は、例えば、ＳＳＤ（Solid State Drive）等の半導体メモリや、ＨＤＤ（Hard Disk Drive）等の磁気ディスクにより構成されている。
【００３６】
ここで、記憶部１５０には、共有フォルダ設定情報１５２が記憶されており、また、コンテンツ記憶領域１５４が確保されている。
【００３７】
共有フォルダ設定情報１５２は、コンテンツを端末装置２０等の他の装置と共有するための記憶領域の一例として、共有フォルダの設定が記憶されている。例えば、「\\Server\share\user1」と記憶されている場合には、当該指定されたフォルダ（ディレクトリ）が共有フォルダとして設定される。
【００３８】
なお、共有するための記憶領域は、サーバや、装置の共有フォルダであっても良いし、外部のファイルサービスの情報（例えばクラウドサービスのアカウント情報）等であってもよい。また、フォルダに限らず、ドライブや装置、記憶媒体等、ファイル等が共有可能な記憶領域であれば良い。
【００３９】
コンテンツ記憶領域１５４には、コンテンツが記憶されている。コンテンツは、表示装置１０で作成・編集されたコンテンツや、他の装置から受信されたコンテンツが記憶されている。
【００４０】
［１．２．２  端末装置］
端末装置２０の機能構成について図３を用いて説明する。図３に示すように、端末装置２０は、制御部２００と、表示部２１０と、操作検出部２２０と、画像処理部２３０と、通信部２４０と、記憶部２５０とを備えて構成されている。
【００４１】
制御部２００は、端末装置２０の全体を制御するための機能部である。制御部２００は、記憶部２５０に記憶されている各種プログラムを読み出して実行することにより各種機能を実現しており、例えばＣＰＵ（Central Processing Unit）等により構成されている。
【００４２】
また、制御部２００としては、例えば、タッチパネルとして構成されている場合は表示画面（操作検出部２２０）を介して描画・入力された画像等のオブジェクトの表示や、他の画像入力装置から入力された画像の表示を制御したりする。
【００４３】
表示部２１０は、利用者に対して各種情報を表示したり、オブジェクトが描画・配置されたシートを表示したりするための機能部である。例えば、液晶ディスプレイ（ＬＣＤ：liquid crystal display）や、有機ＥＬディスプレイ等により構成されている。また、プロジェクタのような照射型／投影型の表示制御装置であってもよい。
【００４４】
操作検出部２２０は、利用者からの操作を検出するための機能部である。例えば、表示部２１０と一体に構成されるタッチパネル等により構成されている。操作の検出方式としては、静電容量方式であったり、抵抗膜方式等の感圧式や、赤外線方式、電磁誘導方式であったりと何れの方法であってもよい。
【００４５】
また、表示部２１０が照射型等の表示制御装置である場合は、操作検出部としては人感センサ等を利用して操作を検出してもよい。
【００４６】
画像処理部２３０は各種画像を処理するための機能部である。すなわち、コンテンツを表示部２１０に表示する場合に、各種処理を実行する。例えば、コンテンツとして静止画像を拡大、縮小表示したり、動画像を再生したりする。
【００４７】
また、コンテンツからサムネイル画像となるシートを生成したり、コンテンツに対して色調整処理、シャープネス処理等といった各種画像処理を施したりする。
【００４８】
通信部２４０は、ネットワークＮＷに接続するためのネットワークインタフェースである。通信方法としては、有線／無線を問わず、また、ＬＡＮ／ＷＡＮを問わない。すなわち、本実施形態においては、表示装置１０、共有サーバ３０と通信をすることができればよい。有線ＬＡＮであれば、１０ＢＡＳＥ−Ｔ、１００ＢＡＳＥ−ＴＸ、１０００ＢＡＳＥ−Ｔといったイーサネットの規格や、無線ＬＡＮであれば、ＩＥＥＥ８０２．１１ａ／ｂ／ｇ／ｎといった規格、ＷＡＮであればＬＴＥ、ＷｉＭＡＸ、３Ｇ等が利用される。
【００４９】
なお、共有サーバ３０を利用しないで直接表示装置１０と通信する場合であれば、ＢｌｕｅｔｏｏｔｈやＺｉｇＢｅｅといった近距離無線通信を利用してもよい。
【００５０】
記憶部２５０は、端末装置２０の動作に必要な各種プログラムや、各種データが記憶されている機能部である。記憶部２５０は、例えば、ＳＳＤ（Solid State Drive）等の半導体メモリや、ＨＤＤ（Hard Disk Drive）等の磁気ディスクにより構成されている。
【００５１】
ここで、記憶部２５０には、共有フォルダ設定情報２５２が記憶されており、また、コンテンツ記憶領域２５４が確保されている。
【００５２】
共有フォルダ設定情報２５２は、コンテンツを表示装置１０等の他の装置と共有するための共有フォルダの設定が記憶されている。例えば、「\\Server\share\user1」と記憶されている場合には、当該指定されたフォルダ（ディレクトリ）が共有フォルダとして設定される。
【００５３】
コンテンツ記憶領域２５４には、コンテンツが記憶されている。コンテンツは、端末装置２０で作成・編集されたコンテンツや、他の装置から受信されたコンテンツが記憶されている。ここで、本実施形態におけるコンテンツとは、種々のデータをいい、例えば、テキストデータ、ドキュメントデータ、音声ファイル、画像ファイル（静止画像データ）、動画ファイル（動画像データ）等、種々のデータ形式で表されるものである。
【００５４】
［１．２．３  共有サーバ］
共有サーバ３０の機能構成について図４を用いて説明する。図４に示すように、共有サーバ３０は、制御部３００と、ファイル共有制御部３１０と、通信部３４０と、記憶部３５０とを備えて構成されている。なお、必要に応じて、操作部や、表示部等を備えてもよい。
【００５５】
制御部３００は、共有サーバ３０の全体を制御するための機能部である。制御部３００は、記憶部３５０に記憶されている各種プログラムを読み出して実行することにより各種機能を実現しており、例えばＣＰＵ（Central Processing Unit）等により構成されている。
【００５６】
ファイル共有制御部３１０は、ファイル共有サービスを提供するための機能部である。例えば、共有フォルダを設定したり、共有フォルダに対するアクセス権限を設定したりする機能部である。ファイル共有サービスとしては、例えばＳＭＢ、ＮｅｔＢＥＵＩ、ＷｅｂＤＡＶ等や、ＦＴＰ等により実現される。
【００５７】
通信部３４０は、ネットワークＮＷに接続するためのネットワークインタフェースである。通信方法としては、有線／無線を問わず、また、ＬＡＮ／ＷＡＮを問わない。すなわち、本実施形態においては、表示装置１０、端末装置２０と通信をすることができればよい。有線ＬＡＮであれば、１０ＢＡＳＥ−Ｔ、１００ＢＡＳＥ−ＴＸ、１０００ＢＡＳＥ−Ｔといったイーサネットの規格や、無線ＬＡＮであれば、ＩＥＥＥ８０２．１１ａ／ｂ／ｇ／ｎといった規格、ＷＡＮであればＬＴＥ、ＷｉＭＡＸ、３Ｇ等が利用される。
【００５８】
記憶部３５０は、共有サーバ３０の動作に必要な各種プログラムや、各種データが記憶されている機能部である。記憶部３５０は、例えば、ＳＳＤ（Solid State Drive）等の半導体メモリや、ＨＤＤ（Hard Disk Drive）等の磁気ディスクにより構成されている。
【００５９】
ここで、記憶部３５０には、共有フォルダ３５２が設定されており、共有フォルダの中にはコンテンツ３５４が記憶されている。
【００６０】
共有フォルダ３５２は、１又は複数設定することができる。共有フォルダ３５２は、表示装置１０毎に設定されてもよいし、後述するトンネルトレイに対応させてもよい。
【００６１】
［１．３  処理の流れ］
つづいて、第１実施形態における処理の流れについて、図を用いて説明する。まず、各処理を実行する前に、表示装置１０及び端末装置２０において、共通の共有フォルダが設定される。
【００６２】
すなわち、共有サーバ３０にあるフォルダの１つを共有フォルダとして設定する。共有フォルダは、表示装置１０及び端末装置２０から読み取り／書き込み等が行えるように共有設定がされている。そして、設定された共有フォルダは、共有フォルダ設定情報１５２、共有フォルダ設定情報２５２として、それぞれ記憶される。
【００６３】
［１．３．１  端末装置の処理］
まず、端末装置２０における処理について、図５に基づいて説明する。まず、端末装置２０の表示画面の所定の表示領域にトンネルトレイを表示する（ステップＳ１０２）。ここでいうトンネルトレイとは、ファイル連携をするための識別表示の一種であり、送信アイコンとして表示されている。表示画面の１箇所に、ファイル連携をするために本実施形態では円を表示する。この円は、表示画面において常に前面（最前面）に表示されていることとしてもよいし、所定の色（例えば、赤色や青色等）で表示されている。なお、トンネルトレイという表現は一例であり、ファイル連携を行う領域が解るような識別表示であれば、他の図形や、文字等であってもよいし、表示画面の所定領域（座標）が設定されてもよい。
【００６４】
すなわち、表示画面における特定領域を示すための表示がトンネルトレイである。トンネルトレイは、表示画面の中で任意の箇所に配置することができる。また、大きさや色等も利用者が自由に設定することが可能である。また、必要に応じてトンネルトレイとして表示せず、表示画面の特定領域をトンネルトレイと同等の機能を持たせてもよい。
【００６５】
つづいて、シートが表示される（ステップＳ１０４）。シートは、コンテンツを示す画像であり、端末装置２０の表示画面に１又は複数表示可能である。シートは、端末装置２０が記憶又は読み出し可能なコンテンツを示すものであり、端末装置２０で生成されたコンテンツであってもよいし、他の装置から受信されたコンテンツであってもよい。
【００６６】
つづいて、シートの移動操作があったか否かを検出する（ステップＳ１０６）。例えば、タッチ操作をシート上で検出し、そのままドラッグ操作された場合に移動操作があったと検出する。なお、他の操作があった場合は、当該操作に応じた処理（例えば、複製処理、削除処理、印刷処理等）が実行されることとなるが、本実施形態ではその説明は省略する（ステップＳ１０６；Ｎｏ→ステップＳ１０８；Ｙｅｓ）。
【００６７】
シートの移動操作が継続して行われている間は、シートが移動表示される（ステップＳ１１０）。ここで、シート移動表示とは、シートが移動していることが解ればよい。例えば、表示されているシートの画像自体を移動表示してもよいし、シートの移動を示す識別表示（例えば、矩形表示）を移動表示してもよい。
【００６８】
ここで、移動操作の終了を検出すると（ステップＳ１１２；Ｙｅｓ）、移動操作が終了した座標を検出し、移動シートの位置がトンネルトレイ近傍であったか否かを判定する（ステップＳ１１４）。
【００６９】
ここで、移動シートの位置がトンネルトレイの近傍であるか否かの判定は種々の方法が考えられる。例えば、シートの中心座標が、トンネルトレイの座標に含まれていたり、トンネルトレイの座標近傍（例えば、トンネルトレイの矩形領域の座標より±５ピクセル等）に含まれていたりするかを判定してもよい。また、シートの領域（例えば、矩形領域）の何れかの座標を、トンネルトレイの座標と比較してもよい。
【００７０】
このように、移動シートがトンネルトレイの近傍となったか否かの判定は、設計事項として種々設定可能であるため、例えば、当たり判定と同じように、当業者が想定しうる判定方法であれば、何れの方法であってもよい。
【００７１】
移動したシートがトンネルトレイの近傍にある場合は、コンテンツ送信処理が実行される（ステップＳ１１４；Ｙｅｓ→ステップＳ１１６）。なお、移動したシートがトンネルトレイの近傍に無い場合には、通常の移動操作と判定し、移動先にシートを表示して本処理を終了する（ステップＳ１１４；Ｎｏ→ステップＳ１１８）。
【００７２】
また、移動操作としては、フリック操作であってもよい。すなわち、ステップＳ１０６において行われる移動操作がフリック操作を検出した場合、タッチ移動座標、移動速度を検出し、移動方向がトンネルトレイの表示されている方向であり、移動速度が所定の閾値以上であれば、コンテンツ送信処理が実行される。すなわち、シートをトンネルトレイに移動するには、ドラッグによる操作であってもよいし、フリック操作であってもよい。
【００７３】
［１．３．２  コンテンツ送信処理］
つづいて、端末装置２０におけるコンテンツ送信処理について、図６を参照して説明する。まず、トンネルトレイの近傍に移動されたシートに対応するコンテンツを共有フォルダに送信する（ステップＳ１２２）。
【００７４】
ここで、共有フォルダにコンテンツを送信した後に、トンネルトレイ近傍に移動表示されているシートを消去し（ステップＳ１２４）、移動元の位置にシートを表示する（ステップＳ１２６）。
【００７５】
なお、上述した処理では、コンテンツを送信した後に、トンネルトレイ近傍に移動表示されているシートを消去しているが、逆の処理であっても良いことは勿論である。すなわち、トンネルトレイ近傍に移動表示されているシートを消去したあと（ステップＳ１２４）に、コンテンツを共有フォルダに送信してもよい（ステップＳ１２２）。
【００７６】
なお、移動元の位置にシートを表示するか否かは利用者が選択できてもよいし、設定により変更できることとしてもよい。例えば、シングルタッチで移動表示した場合には、移動元の位置にシートを表示する（すなわちコピー動作）が、マルチタッチで移動表示した場合には、移動元の位置にシートを表示しない（すなわち、移動動作）としてもよい。
【００７７】
また、その場合、シートに関連付けられているドロアー（例えば、図１０のＤ１３０）に収納されてもよいし、表示画面の一部（例えば、予め設定されたサムネイル領域）のエリアに縮小表示してもよい。
【００７８】
［１．３．３  表示装置の処理］
つづいて、表示装置１０の処理について、図７を参照して説明する。まず、表示装置１０において、共有フォルダを設定する（ステップＳ１５２）。予め利用者により設定されていたり、管理者により設定されていたりする場合には、特に処理を実行する必要は無い。
【００７９】
ここで、表示装置１０は、定期的に共有フォルダに、コンテンツが記憶されているかをチェック（確認）する（ステップＳ１５４）。この共有フォルダチェックは、所定時間毎（例えば、3秒毎、10秒毎や、30秒毎等）に確認する。この確認は、共有フォルダにコンテンツが記憶されるまで繰り返し実行される（ステップＳ１５６；Ｎｏ→ステップＳ１５４）。
【００８０】
ここで、共有フォルダにコンテンツが記憶されている（存在する）場合には（ステップＳ１５６；Ｙｅｓ）、当該コンテンツがサポート対象のコンテンツか否かを判定する（ステップＳ１５８）。
【００８１】
ここで、サポート対象のコンテンツとは、例えば、コンテンツが表示装置１０で表示したり、再生したり、開いて利用出来るコンテンツであるか否かである。例えば、コンテンツを表示・編集するためのアプリケーションが存在していない場合や、対応するコーディックがインストールされていない場合には、サポート対象外のコンテンツと判定し、無視する（ステップＳ１５８；Ｎｏ→ステップＳ１５４）。
【００８２】
具体的にいくつかの例を説明すると、例えば共有フォルダに格納されたコンテンツが「ｄｘｆファイル」というコンテンツの場合、ｄｘｆファイルを利用出来るアプリケーションが、表示装置１０にインストールされていない場合にはサポート対象外のコンテンツとなる。また、「ａｖｉファイル」というコンテンツであって、利用出来るアプリケーションはインストールされているが、当該ファイルのコーディックがインストールされていないために、再生できない場合にはサポート対象外のコンテンツとなる。
【００８３】
このようなサポート対象外のコンテンツは、上述したように無視するが、共有フォルダから削除してもよい。
【００８４】
つづいて、共有フォルダに格納されたコンテンツがサポート対象のコンテンツであった場合（ステップＳ１５８；Ｙｅｓ）、シート（画像）を生成する必要がある場合、シート（画像）を生成する（ステップＳ１６０；Ｙｅｓ→ステップＳ１６２）。例えば、コンテンツが静止画コンテンツの場合であって、静止画コンテンツ（静止画データ）をそのまま縮小表示してシートとする場合には、シート画像の生成は不要となることから、そのまま静止画コンテンツをシートとして利用してもよい（ステップＳ１６０；Ｎｏ）。また、当該コンテンツに既にプレビュー画像が含まれている場合は、当該プレビュー画像をそのままシート（画像）として使用してもよい。
【００８５】
なお、静止画コンテンツであっても、複数の静止画データが含まれている場合には、シート（画像）とする静止画を特定し、シートとして生成してもよい。
【００８６】
つづいて、コンテンツを共有サーバ３０の共有フォルダから、表示装置１０のフォルダにコピーする（ステップＳ１６４）。そして、共有フォルダからコンテンツを削除し（ステップＳ１６６）、当該コンテンツに対応するシートを表示装置１０の表示画面に表示する（ステップＳ１６８）。
【００８７】
なお、上述したステップは、処理に矛盾が生じない範囲で前後してもよいことは勿論である。例えば、ステップＳ１６４は、ステップＳ１５８の後に実行してもよい。すなわち、最初にコンテンツを表示装置１０にコピーし、その後コピーしたコンテンツに基づいてシートを生成してもよい。
【００８８】
［１．４  動作例］
つづいて、本実施形態における動作例について説明する。図８は端末装置２０の表示画面の一例であり、図９は表示装置１０の表示画面の一例である。
【００８９】
本実施形態における、表示装置１０及び端末装置２０は、コンテンツを表示することができる。表示装置１０を例に取ると、まず、表示画面に設けられたワークエリアと呼ばれる領域に、コンテンツに対応するシートが表示されている。
【００９０】
シートはコンテンツに基づいて生成される画像データであり、コンテンツを示すプレビュー画像である。例えば、コンテンツがドキュメントファイルであれば、代表するページからプレビュー画像を、動画ファイルであれば、ある場面のキャプチャ画像を静止画として表示するか、またはシート上で再生して動画として表示することができる。
【００９１】
利用者は、外部アプリケーションまたはドロアーからコンテンツを表示画面に設けられたワークエリアにドラッグ&ドロップまたは選択して開く操作を実施することで、コンテンツをシートとして表示させることができる。コンテンツが静止画ファイルであれば当該静止画を表示し、動画ファイルであれば動画ファイルを表示し、また、複数ページを含むドキュメントファイルであれば、ページめくり可能なシートを表示する。
【００９２】
このように、利用者はシートを選択することにより、対応するコンテンツを表示することが可能となる。また、シートは移動、拡大、縮小、回転といったことが可能である。また、シート上で、ページ分割や、ページ連結といった操作を行うこととしてもよい。
【００９３】
図８（ａ）は、端末装置２０に表示される表示画面Ｗ１００の一例である。表示画面Ｗ１００には、トンネルトレイＴ１００が表示されている。また、表示画面のワークエリアには、コンテンツを示すシートＣ１００が表示されている。当該シートは、移動、拡大、縮小、回転といった操作・表示が可能である。
【００９４】
ここで、利用者がシートＣ１００をタッチ操作により選択し、方向Ｐ１００に移動操作する。そうすると、シートＣ１００は、移動表示され、図８（ｂ）の状態に遷移する。
【００９５】
図８（ｂ）の表示画面Ｗ１１０では、トンネルトレイＴ１００の近傍にシートＣ１００が移動表示されている。このとき、トンネルトレイＴ１００は、シートＣ１００より上に表示されている。
【００９６】
このとき、利用者が選択を解除する（タッチアップする）と、シートＣ１００に対応するコンテンツは、共有フォルダに送信（コピー）される。共有フォルダとしては、共有フォルダ設定情報２５２に設定されている共有フォルダであり、本実施形態は、共有サーバ３０の共有フォルダ３５２となる。
【００９７】
図９は表示装置１０の動作例を説明するための図である。表示装置１０は、定期的に共有フォルダを確認し、新たなコンテンツが記憶されていることを検出する。
【００９８】
新たなコンテンツの存在が確認できた場合に、表示装置１０は、当該コンテンツに対応するシート（コンテンツのプレビュー画像に対応する画像）を生成する。そして、表示画面Ｗ１２０に表示させる。
【００９９】
例えば、本実施形態では、表示画面Ｗ１２０の下側からシートＣ１２０が表示される。そして、方向Ｐ１２０にスライド表示され、図９（ｂ）のように、表示画面Ｗ１２０に表示されることとなる。このように、本実施形態では、端末装置２０から送信されたコンテンツが、表示装置１０で自動的に受信することが可能となる。
【０１００】
また、受信されたコンテンツに対応するシート画像が自動的に生成され、表示装置１０の表示画面であるワークエリアに自動的に表示されることとなる。
【０１０１】
なお、このときシートについて識別表示を行ってもよい。例えば、新たに取得したコンテンツであることを識別できるように表示態様をかえて表示するといったことをしても良い。例えば、一定時間枠の色を変えたり、強調表示をしたりするといったことが考えられる。また、透過度を変更したり、点滅表示をしたりといったことも考えられる。このように、シートを時間経過と共に識別表示することで、どれが新しいシートかを利用者に対して報知してもよい。
【０１０２】
ここで、従前の表示装置の場合について、図１０を参照に説明する。例えば、従前の表示装置であれば、表示装置のフォルダに対応づけて、ドロアーが表示されている。ドロアーを利用者が選択すると、ドロアーに対応するフォルダに含まれているコンテンツの一覧が表示されることとなる。
【０１０３】
具体的には、図１０（ａ）に示すように、ドロアーの一覧が、表示画面Ｗ１３０の下部一端に表示されている。ここで、利用者がドロアーＤ１３０を選択した場合に遷移する画面が図１０（ｂ）の状態である。
【０１０４】
図１０（ｂ）は、ドロアーＤ１３０に含まれているコンテンツに対応するシートの縮小画像が領域Ｒ１３０に一覧表示されている。この時点で、コンテンツの一覧が表示される。ここで、利用者がコンテンツＣ１３０を選択し、方向Ｐ１３０に移動すると（すなわち、ワークエリアにコンテンツＣ１３０を移動すると）、コンテンツに対応するシートが生成され、ワークエリアに表示される。
【０１０５】
このように、従前は表示装置１０においてコンテンツが受信されたことが解らず、また、受信された場合でもコンテンツを選択してから表示させる必要があった。また、コンテンツに基づくシートを生成する場合、選択されたコンテンツのシートのみが表示されており、自動的にシートを生成し、表示させるといった機能は無かった。
【０１０６】
本実施形態によれば、このように表示装置１０と、端末装置２０との間で容易にコンテンツの送受信（連携）を行うことが可能となる。また、表示装置１０においても、利用者が意識することなく、コンテンツに対応するシートが生成・表示されるためどのようなコンテンツを受信したか容易に把握することができるようになった。
【０１０７】
［２．第２実施形態］
つづいて、第２実施形態について説明する。第１実施形態では、共有フォルダからコンテンツファイルを受信する都度ファイルを削除していたが、本実施形態では表示されているコンテンツのリストを用いて表示する実施形態である。なお、本実施形態においては、第１実施形態と各装置の機能構成は同一である。また、処理フローは、原則として同一であるが、図７のシート受信処理を、図１１のシート受信処理に置き換えたものである。なお、同一の処理には同一の符号を付してその説明を省略する。
【０１０８】
図１１の処理では、ステップＳ１５６において、共有フォルダをチェックして、共有フォルダにコンテンツが存在すると確認された場合には（ステップＳ１５６；Ｙｅｓ）、当該共有フォルダのファイル名の一覧を取得する（ステップＳ２０２）。
【０１０９】
ここで、表示装置１０が記憶している表示済みのコンテンツを示す表示済リストを確認し、取得されたファイル名一覧の中から未表示のコンテンツがあるか否かを判定する（ステップＳ２０４）。もし、未表示のコンテンツがある場合、すなわち表示済リストに記憶されていないコンテンツがある場合には、当該未表示のコンテンツを取得する（ステップＳ２０４；Ｙｅｓ→ステップＳ２０６）。そして、表示装置１０がサポート対象のコンテンツの場合には、コンテンツがコピーされ（ステップＳ１５８：Ｙｅｓ〜ステップＳ１６４）、コンテンツ名を表示済リストに追加する更新を行う（ステップ２１２）。
【０１１０】
このように、本実施形態によれば、表示済リストを使用することにより、コンテンツを削除しなくても必要なコンテンツを受信することが可能となる。これは、表示する表示装置１０が複数接続されており、各表示装置で送信されたコンテンツを表示する場合に有効な処理である。
【０１１１】
［３．第３実施形態］
つづいて、第３実施形態について説明する。第３実施形態は、表示装置１０において、受信側の特定領域としてトンネルトレイを表示し、トンネルトレイからコンテンツに対応するシートが表示される実施形態である。なお、本実施形態においては、第１実施形態と各装置の機能構成は同一である。また、処理フローは、原則として同一であるが、図７のシート受信処理を、図１２のシート受信処理に置き換えたものである。なお、同一の処理には同一の符号を付してその説明を省略する。
【０１１２】
表示装置１０の表示画面にトンネルトレイを表示する（ステップＳ３０２）。この表示されたトンネルトレイから、コンテンツに対応するシートが表示されることとなる。
【０１１３】
すなわち、コンテンツがコピーされた後、まずシートをトンネルトレイ内に縮小表示する（ステップＳ３０４）。そして、シートの表示位置までシートが移動表示される（ステップＳ３０６）。
【０１１４】
なお、説明の都合上、シートは初期状態としてトンネルトレイの中に含まれることとして説明しているが、トンネルトレイ近傍に表示されていればよい。例えば、トンネルトレイからはみ出し表示された場合であってもよいし、単にトンネルトレイに重畳表示されることとしても良い。
【０１１５】
本実施形態における動作例について図１３を参照して説明する。図１３は、シートを表示する場合の表示画面Ｗ３００の一例である。表示画面Ｗ３００には、トンネルトレイＴ３００が表示されている（図１３（ａ））。
【０１１６】
ここで、共有フォルダにコンテンツが記憶されると、表示装置１０は、コンテンツを取得する。このとき、コンテンツに対応するシートＣ３００が、トンネルトレイＴ３００の中に縮小表示されている（図１３（ｂ））。
【０１１７】
この後、シートはシートが表示される位置まで徐々に大きくなりつつ表示される。すなわち、図１３（ｃ）、図１３（ｄ）と、シートＣ３００は段階的に大きくなりつつ移動表示されている。これにより、トンネルトレイからシートが飛び出してくるような視認効果が期待出来る。
【０１１８】
すなわち、利用者は、シートを端末装置ではトンネルトレイに投げ入れることで表示装置にコンテンツを送信できる。また、表示装置では、トンネルトレイからシートが飛び出してくるように表示されつつ、コンテンツを受信できる。このように、利用者に対して、端末装置と、表示装置とがあたかもトンネルで繋がっているような印象を与えることができるようになる。
【０１１９】
この表示態様としては種々の態様が考えられる。例えば、図１４の表示画面Ｗ３１０では、図１４（ａ）でトンネルトレイＴ３１０の中にシートＣ３１０が表示され、図１４（ｄ）で示す表示位置にシートＣ３１０が移動表示されている。このとき、図１４（ｂ）及び図１４（ｃ）と、シートＣ３１０が徐々に大きくなりつつ、かつ、回転表示されている。このように、シートを表示する場合には、シートの移動表示に対して種々の視覚効果を施しても良い。
【０１２０】
また、表示形態だけでなく、例えば透過率を徐々に変えたり、背景色を徐々に変えたりするといったことをしても良い。このような視覚効果を施すことができることが、本実施形態の特徴である。
【０１２１】
［４．第４実施形態］
つづいて第４実施形態について説明する。第４実施形態は、コンテンツが複数ある場合の処理について説明するための実施形態である。上述したように、トンネルトレイから表示されるシートは１つずつ処理しても良いが、共有フォルダに複数のファイルが記憶されている場合には、複数処理を実行してもよい。なお、本実施形態においては、第３実施形態と各装置の機能構成と、処理フローは同一である。
【０１２２】
図１５は、本実施形態の動作を説明するための図である。図１５は表示画面Ｗ４００の一例を示した図であり、トンネルトレイＴ４００が表示されている。ここで、トンネルトレイＴ４００の中にはシートＣ４００が表示されている。図１３（ｂ）のシートＣ３００と異なり、シートＣ４００は複数のシートが表示されることが示される状態で表示されている。すなわち、複数のシートが１つの画像群として表示され、このシートＣ４００は、２つのシートが含まれており、図１５（ｂ）以降で示す、シートＣ４１０と、シートＣ４２０とが含まれている。
【０１２３】
図１５（ｂ）で示すように、まず１つのシートＣ４１０が移動表示されている。このとき、移動表示されていないシートＣ４２０は、トンネルトレイＴ４００の中にそのまま表示されている。
【０１２４】
ここで、図１５（ｃ）で示したように、シートＣ４１０が所定の位置まで移動したときに、シートＣ４２０も移動表示がされる。なお、シートＣ４２０が移動表示されるタイミングは、シートＣ４１０が移動表示されるのと同じであってもよいし、シートＣ４１０の移動表示が終わった後のタイミングであってもよい。また、シートＣ４１０が移動中であってもよい。
【０１２５】
そして、シートＣ４２０についても、図１５（ｄ）に示すように、所定の位置に移動されることとなる。このように、本実施形態によれば、複数のコンテンツ（シート）を対象として移動表示をすることが可能となる。これにより、利用者は複数のコンテンツが受信されていることを視覚的に認識することが可能となる。また、画像群として複数のシートが含まれている場合、この複数のシート（画像）の表示態様が順次変化することで、視覚的に複数のシートが展開されることがわかるようになる。
【０１２６】
［５．第５実施形態］
つづいて、第５実施形態について説明する。第５実施形態は、共有フォルダに記憶されているファイルが、表示装置１０が処理出来ないファイル（サポート対象外ファイル）であるの場合の実施形態について説明する。なお、本実施形態においては、第３実施形態を元に違う点を説明するが、他の実施形態において適用可能なことは勿論である。
【０１２７】
図１６（ａ）は、共有フォルダにサポート対象外のコンテンツが記憶されている場合の表示画面Ｗ５００である。トンネルトレイＴ５００に、アイコン（識別表示）Ｃ５００がされており、領域Ｒ５００に「サポート対象外のファイルです」と表示されている。ここで利用者がサポート対象外ファイル（コンテンツ）であるにも関わらず、「受信する」と選択された場合には、コンテンツが受信される。
【０１２８】
このとき、シートを表示することはできない。したがって、例えば対象外のコンテンツを示すための識別表示（例えば、アイコンや文字、記号等）Ｃ５００をトンネルトレイＴ５００から表示画面Ｗ５００において移動表示する。
【０１２９】
このように、本実施形態によれば、表示装置１０が処理することができないコンテンツ等のファイルであっても送受信することができる。例えば、端末装置から受信されたファイルを別の端末装置に、表示装置１０を介して送信することができるようになる。
【０１３０】
［６．第６実施形態］
つづいて、第６実施形態について説明する。第６実施形態は、複数の端末装置をコンテンツ連携システムに接続した場合の実施形態である。図１７は、コンテンツ連携システム１の全体を示す図である。コンテンツ連携システム１は、複数の端末装置として、端末装置２０及び端末装置２５を含んで構成されている。すなわち、上述した実施形態に、更に端末装置が１台追加された実施形態となっている。
【０１３１】
ここで、表示装置１０における共有フォルダ設定情報２５２は、トンネルトレイ毎に共有フォルダを記憶している。図１８に示すように、トンネルトレイ（例えば、「トンネルトレイＡ」）に、共有フォルダ情報（例えば、「\\server1\fd1\」）が対応づけて記憶されている。
【０１３２】
この共有フォルダは、端末装置がそれぞれ設定している共有フォルダである。これにより、それぞれの端末装置からコンテンツを受信することが可能となる。なお、各装置の機能構成及び処理フローは上述した実施形態と同様であるため省略する。
【０１３３】
つづいて、第３実施形態に適用した場合の動作例について、図１９及び図２０を参照して説明する。図１９及び図２０は、端末装置２０、表示装置１０、端末装置２５の状態を左から記載した図である。そして、図１９は、端末装置２０から表示装置１０へコンテンツを送信する動作を説明するための図である。
【０１３４】
中央は表示装置１０の表示画面Ｗ６１０を、左側は端末装置２０の表示画面Ｗ６２０Ａを、右側は端末装置２５の表示画面Ｗ６２０Ｂを示している。
【０１３５】
また、表示装置１０の表示画面Ｗ６１０には、トンネルトレイＴ６１０Ａと、トンネルトレイＴ６１０Ｂとが表示されている。端末装置２０の表示画面Ｗ６２０ＡにはトンネルトレイＴ６２０Ａが、端末装置２５の表示画面Ｗ６２０ＢにはトンネルトレイＴ６２０Ｂが表示されている。
【０１３６】
ここで、トンネルトレイＴ６２０Ａに設定されている共有フォルダと、トンネルトレイＴ６１０Ａに設定されている共有フォルダは同一である。また、トンネルトレイＴ６２０Ｂに設定されている共有フォルダと、トンネルトレイＴ６１０Ｂに設定されている共有フォルダは同一である。
【０１３７】
したがって、端末装置２０において、表示画面Ｗ６２０Ａに表示されているシートＣ６２０Ａをトンネルトレイ６２０Ａが表示されている方向Ｐ１に移動操作（例えば、ドラッグ操作）する（図１９（ａ））。そして、トンネルトレイＴ６２０Ａにドラッグ＆ドロップすることにより、シートＣ６２０Ａに対応するコンテンツが共有フォルダにコピーされる（図１９（ｂ））。すなわち、ドラッグ＆ドロップすることで、トンネルトレイＴ６２０Ａに、シートＣ６２０Ａが重なった状態となる表示となる。
【０１３８】
表示装置１０は、共有フォルダにコンテンツがあり、サポート対象のコンテンツの場合は、必要に応じてシート画像を生成し、コンテンツをコピーした上でシートＣ６１０ＡがトンネルトレイＴ６１０Ａの中に縮小表示される（図１９（ｃ））。そして、シートＣ６１０Ａが表示される位置まで拡大しつつ移動表示することで、シートＣ６１０Ａが表示画面Ｗ６１０に表示されることとなる（図１９（ｄ））。同様な動作は、端末装置２５においても行うことが可能である。
【０１３９】
なお、シートが表示されるトンネルトレイを識別表示しても良いし、トンネルトレイに対応する共有フォルダに関する情報を表示しても良い。また、共有フォルダと対応する端末に関する情報（例えば、端末名、利用者名、アドレス等）を文字や図形、アイコン等で併せて表示してもよい。
【０１４０】
例えば、図２０では、対応するトンネルトレイが拡大表示される図である。端末装置２５において、表示画面Ｗ６２０Ｂに表示されているシートＣ６２０Ｂをトンネルトレイ６２０Ｂが表示されている方向Ｐ２に移動操作（例えば、ドラッグ操作）する（図２０（ａ））。そして、トンネルトレイＴ６２０Ｂにドラッグ＆ドロップすることにより、シートＣ６２０Ｂに対応するコンテンツが共有フォルダにコピーされる（図２０（ｂ））。
【０１４１】
表示装置１０は、共有フォルダにコンテンツがあることを検出すると、まずトンネルトレイＴ６１０Ｂを識別表示する。例えば、図２０（ｂ）では、通常の表示により大きめに表示をすることで、トンネルトレイＴ６１０Ｂからシートが表示されることが予告表示される。
【０１４２】
表示装置１０は、共有フォルダにあるコンテンツが、サポート対象のコンテンツの場合、必要に応じてシート画像を生成し、コンテンツをコピーした上でシートＣ６１０ＢがトンネルトレイＴ６１０Ｂの中に縮小表示される（図２０（ｃ））。そして、シートＣ６１０Ｂが表示される位置まで拡大しつつ移動表示することで、シートＣ６１０Ｂが表示画面Ｗ６１０に表示されることとなる（図２０（ｄ））。
【０１４３】
このように、本実施形態によれば、複数の端末装置がコンテンツ連携システムに接続されている場合に、それぞれのトンネルトレイを表示することが可能となる、利用者にとっては、どの端末装置からコンテンツが送られているかを確認することが可能となる。
【０１４４】
また、図１９及び図２０は端末装置から表示装置への動作を説明したが、表示装置側を送信側とし、端末装置を受信側としてもよい。すなわち、本実施形態において図５及び図６の送信側の処理を端末装置で、図７の受信側の処理を表示装置で実行しているが逆に行っても良いことは勿論である。
【０１４５】
すなわち、端末装置と、表示装置とで双方向に実行することにより、端末装置から表示装置だけでなく、表示装置から端末装置へのコンテンツの送信も行うことができる。
【０１４６】
［７．第７実施形態］
つづいて、第７実施形態について説明する。上述した実施形態は、トンネルトレイが端末装置及び表示装置に表示されている、すなわち共有フォルダが設定されていることを例に説明したが、端末装置がコンテンツ連携システムに接続時に、表示装置に自動的にトンネルトレイが追加される動作について図２１に基づいて説明する。
【０１４７】
すなわち、図２１の処理が実行されることにより、上述した実施形態におけるトンネルトレイが作成・表示されることになる。
【０１４８】
まず、端末装置２０がコンテンツ連携システム１に接続したいとき（Ｓ１００２）、システム接続要求を共有サーバ３０に送信する（Ｓ１００４）。
【０１４９】
共有サーバ３０は、システム接続要求を受信すると、共有フォルダを作成又は設定する（Ｓ１００６）。ここで、共有フォルダは、システム接続要求を受信した場合に自動的に作成されても良いし、既に存在している共有フォルダを設定してもよい。また、システム接続要求に共有フォルダに関する情報が含まれている場合に、当該情報を利用して設定してもよい。
【０１５０】
共有サーバ３０は、共有フォルダを設定すると、端末装置２０にシステム接続応答を送信する（Ｓ１００８）。これにより、端末装置２０は、共有フォルダ設定情報２５２を更新し（Ｓ１０１２）、表示画面にトンネルトレイを表示する（Ｓ１０１４）。
【０１５１】
また、共有サーバ３０は、共有フォルダを設定した後に、表示装置１０へ共有フォルダ設定要求を送信する（Ｓ１０１０）。表示装置１０は、共有フォルダ設定要求を受信すると、共有フォルダ設定情報１５２を更新し（Ｓ１０１６）、表示画面にトンネルトレイを表示する（Ｓ１０１８）。
【０１５２】
これにより、送信側の端末装置２０、受信側の表示装置１０にそれぞれトンネルトレイが表示されることとなる。この後は、コンテンツ送受信処理として、上述した実施形態の処理が実行される（Ｓ１０２０）。
【０１５３】
つづいて、端末装置２０がシステムから切断する場合（Ｓ１０２２）、システム切断要求が共有サーバ３０に送信される（Ｓ１０２４）。
【０１５４】
共有サーバ３０は、共有フォルダの設定を解除する（Ｓ１０２６）。このとき、単に共有フォルダとして解除するために、端末装置２０及び表示装置１０にその旨を送信するだけでも良いし、共有フォルダ自体を削除する処理をしても良い。
【０１５５】
つづいて、共有フォルダの設定を解除した後に、端末装置２０にシステム切断応答を送信する（Ｓ１０２８）。端末装置２０は、システム切断応答を受信すると、共有フォルダ設定情報を更新する（Ｓ１０３２）。すなわち、共有フォルダ設定情報２５２から、該当する共有フォルダの設定を削除する。そして、対応するトンネルトレイを表示画面から消去する（Ｓ１０３４）。
【０１５６】
また、共有サーバ３０は、共有フォルダの設定を解除した後に、共有フォルダ解除要求を表示装置１０に送信する（Ｓ１０３０）。共有フォルダ解除要求を受信した表示装置１０は、共有フォルダ設定情報を更新する（Ｓ１０３６）。すなわち、共有フォルダ設定情報１５２から、該当する共有フォルダの設定を削除する。そして、対応するトンネルトレイを表示画面から消去する（Ｓ１０３８）。
【０１５７】
このように、本実施形態によれば、トンネルトレイの表示・消去を、端末装置がコンテンツ連携システムに接続／切断するタイミングで自動的に行うことができる。なお、上述した実施形態では、端末装置は１つとして説明しているが、複数接続されてもよいことは勿論である。
【０１５８】
［８．適用例］
上述した実施形態を提供したコンテンツ連携システムを適用することにより、以下のような場面で有効に活用することができる。
【０１５９】
１．端末装置としてテーブル型の表示装置、表示装置として縦置き型の表示装置を使う場合、電子会議等において、意見の交換や共有が有効に行うことができる。
【０１６０】
（１）端末装置（テーブル型の表示装置）で複数人がそれぞれメモシートに意見を記入する。
（２）表示装置（縦置き型の表示装置）に意見を記入したメモシートを表示する。
【０１６１】
（１）（２）の流れをスムーズに行うことを想像すると、従来の、一辺に配置されたドロアーより、テーブル型の特徴である四辺からの操作を考慮し、真ん中にトンネルトレイを配置することで、利便性が高まる。
【０１６２】
２．送信元として端末装置としてテーブル型の表示装置をホテルのロビーで使用するケースが考えられる。これにより、資料や、コンテンツ、写真の共有を容易に行うことができる。
【０１６３】
（１）送信元である端末装置（テーブル型の表示装置）に複数人が写真や動画を表示（転送）する。
（２）受信元である表示装置（各自スマートフォンや外部ストレージサーバーのフォルダ）をトンネルトレイに設定する。
（３）自分の欲しいコンテンツを自分のトンネルトレイに投入する。
（４）相手の欲しがるコンテンツを相手のトンネルトレイに投入する。
（５）最後に受信の操作を施してコンテンツを受取る。
【０１６４】
（３）、（４）の流れをスムーズに行うことを想像すると、トンネルトレイが可動式であることから有効に適用することができる。
【０１６５】
３．ミーティングで使用するケースが考えられる。これにより、資料、コンテンツの仕分けが容易に行うことが可能となる。
【０１６６】
（１）送信元である端末装置でミーティングを行うため資料を表示する。
（２）従来のドロアーとは別に「要確認フォルダ」をトンネルトレイに設定する。
（３）ミーティング中に出てきた要確認なシートをトンネルトレイに投入する。
（４）ミーティング終了後、席に戻って要確認資料を確認する。
【０１６７】
トンネルトレイを使用することで、数多くある資料から必要な資料を区別して管理でき、（３）、（４）をスムーズに行うことができる。この場合、従来のドロアーはミーティングごとに用意して使用することを想定している。「あとで見る」のような、感覚が違う操作として、従来のドロアーと区別できるような、格納方法として、トンネルトレイを利押することが可能である。
【０１６８】
［９．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【０１６９】
また、上述した実施形態では、操作検出部としてタッチパネルとし、タッチ操作（タップ操作）を例に説明したが、例えばマウス等の外部入力装置で、クリック操作等により操作が行われてもよい。
【０１７０】
また、上述した実施形態では、表示部１１０と、操作検出部１２０とが一体となっているタッチパネルを例として説明したが、本実施形態に開示した発明を実施するためには、他の方式であってもよい事は勿論である。例えば、表示部１１０としてプロジェクタを利用し、操作検出部１２０として人感センサを利用してもよい。そして、操作検出部１２０、表示部１１０に制御用のコンピュータを接続することにより、表示システムとして実現されてもよい。
【０１７１】
また、上述した実施形態は、説明の都合上、それぞれ別に説明している部分があるが、技術的に可能な範囲で組み合わせて実行してもよいことは勿論である。例えば、第５実施形態の操作を、他の実施形態と組み合わせて実行してもよい。
【０１７２】
このように、本明細書に記載した各実施形態は、矛盾の無い範囲で組み合わせて実行することができる。
【０１７３】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤ、ＳＳＤの記憶装置に格納され、必要に応じてＣＰＵによって読み出し、修正・書き込みが行なわれる。
【０１７４】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【符号の説明】
【０１７５】
１０  表示装置
１００  制御部
１１０  表示部
１２０  操作検出部
１３０  画像処理部
１４０  通信部
１５０  記憶部
１５２  共有フォルダ設定部
１５４  コンテンツ記憶部
２０  端末装置
２００  制御部
２１０  表示部
２２０  操作検出部
２３０  画像処理部
２４０  通信部
２５０  記憶部
２５２  共有フォルダ設定部
２５４  コンテンツ記憶部
３０  共有サーバ
３００  制御部
３１０  ファイル共有部
３４０  通信部
３５０  記憶部
３５２  共有フォルダ
３５４  コンテンツ
４０  アクセスポイント（ＡＰ）
【図１】
2019008366.tif 000003
【図２】
2019008366.tif 000004
【図３】
2019008366.tif 000005
【図４】
2019008366.tif 000006
【図５】
2019008366.tif 000007
【図６】
2019008366.tif 000008
【図７】
2019008366.tif 000009
【図８】
2019008366.tif 000010
【図９】
2019008366.tif 000011
【図１０】
2019008366.tif 000012
【図１１】
2019008366.tif 000013
【図１２】
2019008366.tif 000014
【図１３】
2019008366.tif 000015
【図１４】
2019008366.tif 000016
【図１５】
2019008366.tif 000017
【図１６】
2019008366.tif 000018
【図１７】
2019008366.tif 000019
【図１８】
2019008366.tif 000020
【図１９】
2019008366.tif 000021
【図２０】
2019008366.tif 000022
【図２１】
2019008366.tif 000023